(57)【要約】【課題】矯正の必要な左右の足毎に各足関節に応じた矯正を行うことができる足関節矯正用靴下を提供する。【解決手段】靴下本体３０の本体布地３１よりも伸縮強度の強い難伸縮性布地４を備えた足関節矯正用靴下３を前提とし、難伸縮性布地４を、左右の足毎に矯正の必要な各足関節を引っ張って矯正するように設定する。難伸縮性布地４は、左足Ｌの脛骨１１下端及び腓骨１２下端と距骨１３との足関節１４並びに距骨１３と踵骨１５との足関節１６に生じるズレが外反足により生じているときに内果１７の上方と外果１８の下方との間において踵骨１５の下側を回した引っ張り強さによって矯正する帯状の難伸縮性布地片４１に加え、中足骨２１と基節骨２２との中足指節関節２３のズレにより親指２４が正常位置よりも上向きであるときに当該足の裏側をその親指２４の付け根から外果１８側に向かう引っ張り強さによって矯正する帯状の難伸縮性布地片も備えている。【選択図】図４
2019122507.tif 000002
【特許請求の範囲】
【請求項１】
靴下本体の本体布地よりも伸縮強度の強い難伸縮性布地を備えた足関節矯正用靴下であって、
前記難伸縮性布地は、左右の足毎に矯正の必要な各足関節を引っ張って矯正するように設定されており、
前記難伸縮性布地は、
前記左右の足の足関節のうちの脛骨下端及び腓骨下端と距骨との足関節並びに前記距骨と踵骨との足関節に生じるズレをその方向に応じて前記脛骨下端の内果の下方と前記腓骨下端の外果の上方との間または前記脛骨下端の内果の上方と前記腓骨下端の外果の下方との間において前記踵骨の下側を回した引っ張り強さによって矯正する帯状の難伸縮性布地片を備えていることを特徴とする足関節矯正用靴下。
【請求項２】
前記難伸縮性布地は、前記左右の足の足関節のうちの脛骨下端及び前記腓骨下端と距骨との足関節並びに前記距骨と踵骨との足関節のズレが外反足により生じているときに前記脛骨下端の内果の上方と前記腓骨下端の外果の下方との間において前記踵骨の下側を回した引っ張り強さによって矯正する帯状の難伸縮性布地片を備えている請求項１に記載の足関節矯正用靴下。
【請求項３】
前記難伸縮性布地は、前記左右の足の足関節のうちの脛骨下端及び前記腓骨下端と距骨との足関節並びに前記距骨と踵骨との足関節のズレが内反足により生じているときに前記脛骨下端の内果の下方と前記腓骨下端の外果の上方との間において前記踵骨の下側を回した引っ張り強さによって矯正する帯状の難伸縮性布地片を備えている請求項１に記載の足関節矯正用靴下。
【請求項４】
前記難伸縮性布地は、前記左右の足の中足骨と基節骨との中足指節関節のズレにより親指が正常位置よりも上向きであるときに当該足の裏側をその親指の付け根から前記外果側に向かう引っ張り強さによって矯正する帯状の難伸縮性布地片も備えている請求項２又は請求項３に記載の足関節矯正用靴下。
【請求項５】
前記難伸縮性布地は、前記左右の足の中足骨と基節骨との中足指節関節のズレにより親指が正常位置よりも下向きであるときに当該足の甲側をその親指の付け根から前記外果側に向かう引っ張り強さによって矯正する帯状の難伸縮性布地も備えている請求項２又は請求項３に記載の足関節矯正用靴下。
【発明の詳細な説明】
【技術分野】
【０００１】
本発明は、左右の足毎に矯正の必要な各足関節に応じた矯正を行えるようにする足関節矯正用靴下に関する。
【背景技術】
【０００２】
一般に、足のトラブルの原因としては、足を構成する骨同士の間の足関節の変位などが一つの要因として挙げられる。その場合、足のトラブル自体が、人それぞれに個々に異なるものであるため、複数の足関節の個々の部位に応じた局所的な矯正によって対処することが行われている。
【０００３】
一例としては、靴下本体の本体布地よりも伸縮強度の強い難伸縮性布地が爪先部と踵部との間に設けられた足関節矯正用靴下を装着し、その難伸縮性布地による周方向からの引っ張り強さによって爪先部と踵部との間の広い範囲で矯正するようにしたものが従来より知られている（例えば、特許文献１参照）。
【先行技術文献】
【特許文献】
【０００４】
【特許文献１】特許第５１６４２７２号公報
【発明の概要】
【発明が解決しようとする課題】
【０００５】
ところが、前記従来のものでは、爪先部と踵部との間の広い範囲に亘って周方向から引っ張ると、爪先部と踵部との間の広い範囲に位置する複数の足関節が環状の難伸縮性布地によって均一に引っ張られてしまう。そのため、複数の足関節が個々にとって最適な方向から局部的に引っ張ることができず、各足関節に応じた矯正が行えない上、矯正の不要な他の正常な足関節にも周方向からの引っ張り強さが同様に作用して悪影響を及ぼすおそれがある。
【０００６】
ところで、足関節のうちの脛骨下端及び腓骨下端と距骨との足関節並びに距骨と踵骨との足関節にあっては、脛骨の中心線と距骨及び踵骨を連結する軸線とが正常な状態では直線状であるものの内外方向へ屈曲してズレが生じてしまうことがあり、これらの足関節にあっても、足関節矯正用靴下を左右の足に装着することで、当該各足関節を集中的な矯正によって対処することが行われている。
【０００７】
その場合、左右の足にあっては、足関節のうちの脛骨下端及び腓骨下端と距骨との足関節並びに距骨と踵骨との足関節に必ずしも同じ方向のズレが生じているとは限らず、一方の足だけにズレが発生していたり、左右の足で互いに逆方向のズレが発生していることもある。このとき、左右の足に装着される足関節矯正用靴下は、同じ方向のズレを想定して製作されているため、一方の足だけにズレが発生していたり、左右の足で互いに逆方向のズレが発生していると、矯正の不要な正常な足関節に悪影響を及ぼしたり、逆方向のズレを増長させたりするおそれがあり、両足の各足関節に応じた矯正を行うことができない。
【０００８】
本発明は、かかる点に鑑みてなされたものであり、その目的とするところは、矯正の必要な左右の足毎に各足関節に応じた矯正を行うことができる足関節矯正用靴下を提供することにある。
【課題を解決するための手段】
【０００９】
前記目的を達成するため、本発明では、 靴下本体の本体布地よりも伸縮強度の強い難伸縮性布地を備えた足関節矯正用靴下を前提とする。更に、前記難伸縮性布地を、左右の足毎に矯正の必要な各足関節を引っ張って矯正するように設定している。そして、前記難伸縮性布地は、前記左右の足の足関節のうちの脛骨下端及び腓骨下端と距骨との足関節並びに前記距骨と踵骨との足関節に生じるズレをその方向に応じて前記脛骨下端の内果の下方と前記腓骨下端の外果の上方との間または前記脛骨下端の内果の上方と前記腓骨下端の外果の下方との間において前記踵骨の下側を回した引っ張り強さによって矯正する帯状の難伸縮性布地片を備えることを特徴としている。
【００１０】
また、前記難伸縮性布地は、前記左右の足の足関節のうちの脛骨下端及び前記腓骨下端と距骨との足関節並びに前記距骨と踵骨との足関節のズレが外反足により生じているときに前記脛骨下端の内果の上方と前記腓骨下端の外果の下方との間において前記踵骨の下側を回した引っ張り強さによって矯正する帯状の難伸縮性布地片を備えることがこのましい。
【００１１】
これに対し、前記難伸縮性布地は、前記左右の足の足関節のうちの脛骨下端及び前記腓骨下端と距骨との足関節並びに前記距骨と踵骨との足関節のズレが内反足により生じているときに前記脛骨下端の内果の下方と前記腓骨下端の外果の上方との間において前記踵骨の下側を回した引っ張り強さによって矯正する帯状の難伸縮性布地片を備えることがこのましい。
【００１２】
また、前記難伸縮性布地は、前記左右の足の中足骨と基節骨との中足指節関節のズレにより親指が正常位置よりも上向きであるときに当該足の裏側をその親指の付け根から前記外果側に向かう引っ張り強さによって矯正する帯状の難伸縮性布地片も備えることがこのましい。
【００１３】
これに対し、前記難伸縮性布地は、前記左右の足の中足骨と基節骨との中足指節関節のズレにより親指が正常位置よりも下向きであるときに当該足の甲側をその親指の付け根から前記外果側に向かう引っ張り強さによって矯正する帯状の難伸縮性布地片も備えることがこのましい。
【発明の効果】
【００１４】
以上、要するに、靴下本体の本体布地よりも伸縮強度の強い難伸縮性布地を、左右の足毎に矯正の必要な各足関節を引っ張って矯正するように設定しているので、矯正の必要な左右の足毎に矯正の必要な各足関節に応じた矯正が行える。
【００１５】
その場合、難伸縮性布地は、左右の足の足関節のうちの脛骨下端及び腓骨下端と距骨との足関節並びに距骨と踵骨との足関節に生じるズレをその方向に応じて脛骨下端の内果の下方と腓骨下端の外果の上方との間または脛骨下端の内果の上方と腓骨下端の外果の下方との間において踵骨の下側を回した引っ張り強さによって矯正する難伸縮性布地片を備えることで、踵骨の下側を回した難伸縮性布地片の引っ張り強さによって左右の足の足関節のうちの脛骨下端及び腓骨下端と距骨との足関節並びに距骨と踵骨との足関節に生じるズレを矯正でき、矯正の必要な左右の足毎に矯正の必要な各足関節に応じた矯正を行うことができる。
【００１６】
また、左右の足の足関節のうちの脛骨下端及び腓骨下端と距骨との足関節並びに距骨と踵骨との足関節のズレが外反足により生じているときに脛骨下端の内果の上方と腓骨下端の外果の下方との間において踵骨の下側を回した難伸縮性布地片の引っ張り強さによって矯正することで、脛骨下端の内果の上方まで延びる難伸縮性布地片の引っ張り強さによって腓骨下端の外果の下方が内果側へ引き寄せられ、外反足によるズレを適正に矯正することができる。
【００１７】
これに対し、左右の足の足関節のうちの脛骨下端及び腓骨下端と距骨との足関節並びに距骨と踵骨との足関節のズレが内反足により生じているときに脛骨下端の内果の下方と腓骨下端の外果の上方との間において踵骨の下側を回した難伸縮性布地片の引っ張り強さによって矯正することで、腓骨下端の外果の上方まで延びる難伸縮性布地片の引っ張り強さによって脛骨下端の内果の下方が外果側へ引き寄せられ、内反足によるズレを適正に矯正することができる。
【００１８】
また、親指が正常位置よりも上向きとなるような左右の足の中足指節関節のズレを当該足の裏側をその親指の付け根から外果側に向かう難伸縮性布地片の引っ張り強さによって矯正することで、ハイヒールを履く女性にありがちな正常位置よりも上向きとなる左右の足の親指も、その足の裏側を親指の付け根から外果側に向かう難伸縮性布地片の引っ張り強さによって適正に矯正することができる。
【００１９】
これに対し、親指が正常位置よりも下向きとなるような左右の足の中足指節関節のズレを当該足の甲側をその親指の付け根から外果側に向かう難伸縮性布地片の引っ張り強さによって矯正することで、接地面に足を踏み付ける運動選手などにありがちな正常位置よりも下向きとなる左右の足の親指も、その足の甲側を親指の付け根から外果側に向かう難伸縮性布地片の引っ張り強さによって適正に矯正することができる。
【図面の簡単な説明】
【００２０】
【図１】本発明の第１の実施の形態に係る足関節矯正用靴下を複数の足関節が透視された外反足の左足に装着した状態で踵側から見た背面図である。
【図２】複数の足関節が透視された正常な左足に普通の靴下を装着した状態で踵側から見た背面図である。
【図３】本発明の第２の実施の形態に係る足関節矯正用靴下を複数の足関節が透視された内反足の左足に装着した状態で踵側から見た背面図である。
【図４】本発明の第３の実施の形態に係る足関節矯正用靴下を外反足でかつ足の親指が正常位置よりも上向きとなる左足に複数の足関節が透視された状態で装着した斜視図である。
【図５】図４の足関節矯正用靴下を左足に装着した状態で足の裏側から見た底面図である。
【図６】第３の実施の形態の変形例に係る足関節矯正用靴下を内反足でかつ足の親指が正常位置よりも上向きとなる左足に複数の足関節が透視された状態で装着した斜視図である。
【図７】本発明の第４の実施の形態に係る足関節矯正用靴下を外反足でかつ足の親指が正常位置よりも下向きとなる左足に複数の足関節が透視された状態で装着した斜視図である。
【図８】図７の足関節矯正用靴下を左足に装着した状態で足の甲側から見た平面図である。
【図９】第４の実施の形態の変形例に係る足関節矯正用靴下を内反足でかつ足の親指が正常位置よりも下向きとなる左足に複数の足関節が透視された状態で装着した斜視図である。
【発明を実施するための形態】
【００２１】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２２】
図１は本発明の第１の実施の形態に係る足関節矯正用靴下を複数の足関節が透視された外反足の左足に装着した状態で踵側から見た背面図、図２は複数の足関節が透視された正常な左足に普通の靴下を装着した状態で踵側から見た背面図をそれぞれ示している。
【００２３】
図１に示すように、左足Ｌの足関節のうち、脛骨１１下端及び腓骨１２下端と距骨１３との足関節１４並びに距骨１３と踵骨１５との足関節１６には、外反足によるズレが生じている。一方、図２に示すように、別人にあっては、その左足Ｌの足関節のうち、脛骨１１下端及び腓骨１２下端と距骨１３との足関節１４並びに距骨１３と踵骨１５との足関節１６には、外反足によるズレが生じておらず正常である。
【００２４】
具体的には、脛骨１１の中心軸を通る軸線ｍと距骨１３及び踵骨１５を連結する軸線ｎとが、図１に示す正常な足関節１４，１６では直線状に繋がっているのに対し、内果１７と腓骨１２下端の外果１８とを繋ぐ線分ｇ上において脛骨１１下端の内果１７を内方に位置付けるように屈曲することで、図１に示す脛骨１１下端及び腓骨１２下端と距骨１３との足関節１４並びに距骨１３と踵骨１５との足関節１６に生じる外反足によるズレが発生している。
【００２５】
そこで、左足Ｌに装着する足関節矯正用靴下３には、靴下本体３０の本体布地３１よりも伸縮強度の強い難伸縮性布地４が設けられている。本体布地３１は、図示しないが、表糸（例えば１６６デニールの綿アクリル混紡糸）と、芯糸（例えば２６０デニールのポリウレタンゴムの糸）及び２本のカバーリング糸（７５デニールのポリエステル糸）よりなる裏糸とで編成されている。この靴下本体３０の爪先部分は、５本の足指をまとめて包み込んで閉じる有端筒状に編成されている。
【００２６】
一方、難伸縮性布地４は、図示しないが、表糸（１４０デニールのナイロン糸）と、芯糸（例えば２６０デニールのポリウレタンゴムの糸）及び２本のカバーリング糸（７５デニールのポリエステル糸）よりなる裏糸とで編成されている。
【００２７】
難伸縮性布地４は、左足Ｌの脛骨１１下端及び腓骨１２下端と距骨１３との足関節１４並びに距骨１３と踵骨１５との足関節１６に生じる外反足によるズレを脛骨１１下端の内果１７の上方と腓骨１２下端の外果１８の下方との間において踵骨１５の下側を回した引っ張り強さによって矯正する帯状の難伸縮性布地片４１を備えている。この難伸縮性布地片４１は、幅２０ｍｍ〜２５ｍｍに設定され、本体布地３１の厚みの内方に一体的に縫い付けられている。
【００２８】
これに対し、別人の左足Ｌの脛骨１１下端及び腓骨１２下端と距骨１３との足関節１４並びに距骨１３と踵骨１５との足関節１６は、外反足によるズレが生じておらず正常であることから、靴下本体５０の本体布地５１に難伸縮性布地片４１を備えない通常の靴下５が装着される。この場合、通常の靴下５は、靴下本体３０の本体布地３１に難伸縮性布地片４１を設けた足関節矯正用靴下３と見かけ上において一致するように編成され、図１に示す如く左足Ｌの各関節１４，１６に外反足によるズレが生じ、かつ右足の各関節に外反足によるズレが生じておらず正常である場合に装着した左足の足関節矯正用靴下３と右足の靴下５とが見かけ上において一致するようにしている。
【００２９】
したがって、本実施の形態では、靴下本体３０の本体布地３１よりも伸縮強度の強い難伸縮性布地片４１が、左右の足毎に矯正の必要な各足関節を引っ張って矯正するように設定され、矯正の必要な左右の足毎に矯正の必要な各足関節１４，１６に応じた矯正が行える。
【００３０】
その場合、左足Ｌの足関節のうちの脛骨１１下端及び腓骨１２下端と距骨１３との足関節１４並びに距骨１３と踵骨１５との足関節１６のズレが外反足により生じているときに脛骨１１下端の内果１７の上方と腓骨１２下端の外果１８の下方との間において踵骨１５の下側を回した帯状の難伸縮性布地片４１の引っ張り強さによって矯正されるので、脛骨１１下端の内果１７の上方まで延びる難伸縮性布地片４１の引っ張り強さによって腓骨１２下端の外果１８の下方が内果１７側へ引き寄せられ、外反足によるズレを適正に矯正することができる。
【００３１】
次に、本発明の第２の実施の形態を図面に基づいて説明する。
【００３２】
この実施の形態では、難伸縮性布地の位置を各足関節のズレの方向に応じて変更している。なお、難伸縮性布地の位置を除くその他の構成は、前記第１の実施の形態と同じであり、同一部分については同じ符号を付してその詳細な説明は省略する。図３は本発明の第２の実施の形態に係る足関節矯正用靴下を複数の足関節が透視された内反足の左足に装着した状態で踵側から見た背面図を示している。
【００３３】
すなわち、本実施の形態では、図３に示すように、左足Ｌの脛骨１１下端及び腓骨１２下端と距骨１３との足関節１４並びに距骨１３と踵骨１５との足関節１６には、内反足によるズレが生じている。つまり、脛骨１１の中心軸を通る軸線ｍと距骨１３及び踵骨１５を連結する軸線ｎとが、内果１７と腓骨１２下端の外果１８とを繋ぐ線分ｇ上において腓骨１２下端の外果１８を外方に位置付けるように屈曲することで、図３に示す脛骨１１下端及び腓骨１２下端と距骨１３との足関節１４並びに距骨１３と踵骨１５との足関節１６に生じる内反足によるズレが発生している。
【００３４】
かかる点から、難伸縮性布地４は、左足Ｌの脛骨１１下端及び腓骨１２下端と距骨１３との足関節１４並びに距骨１３と踵骨１５との足関節１６に生じる内反足によるズレを腓骨１２下端の外果１８の上方と脛骨１１下端の内果１７の下方との間において踵骨１５の下側を回した引っ張り強さによって矯正する帯状の難伸縮性布地片４２を備えている。この難伸縮性布地片４２も、幅２０ｍｍ〜２５ｍｍに設定され、本体布地３１の厚みの内方に一体的に縫い付けられている。
【００３５】
したがって、本実施の形態では、左足Ｌの脛骨１１下端及び腓骨１２下端と距骨１３との足関節１４並びに距骨１３と踵骨１５との足関節１６のズレが内反足により生じているときに脛骨１１下端の内果１７の下方と腓骨１２下端の外果１８の上方との間において踵骨１５の下側を回した難伸縮性布地片４２の引っ張り強さによって矯正されているので、腓骨１２下端の外果１８の上方まで延びる難伸縮性布地片４２の引っ張り強さによって脛骨１１下端の内果１７の下方が外果１８側へ引き寄せられ、内反足によるズレを適正に矯正することができる。
【００３６】
次に、本発明の第３の実施の形態を図面に基づいて説明する。
【００３７】
この実施の形態では、難伸縮性布地の位置を各足関節のズレの方向に応じて変更している。なお、難伸縮性布地の位置を除くその他の構成は、前記第１の実施の形態と同じであり、同一部分については同じ符号を付してその詳細な説明は省略する。図４は本発明の第３の実施の形態に係る足関節矯正用靴下を外反足でかつ足の親指が正常位置よりも上向きとなる左足に複数の足関節が透視された状態で装着した斜視図、図５は図４の足関節矯正用靴下を左足に装着した状態で足の裏側から見た底面図をそれぞれ示している。
【００３８】
すなわち、本実施の形態では、図４に示すように、左足Ｌの脛骨１１下端及び腓骨１２下端と距骨１３との足関節１４並びに距骨１３と踵骨１５との足関節１６には、外反足によるズレが生じている。かかる点から、難伸縮性布地４は、左足Ｌの脛骨１１下端及び腓骨１２下端と距骨１３との足関節１４並びに距骨１３と踵骨１５との足関節１６に生じる外反足によるズレを脛骨１１下端の内果１７の上方と腓骨１２下端の外果１８の下方との間において踵骨１５の下側を回した引っ張り強さによって矯正する帯状の難伸縮性布地片４１を備えている。
【００３９】
また、左足Ｌの親指２４は、ハイヒールを履く女性にありがちなように、左足Ｌの中足骨２１と基節骨２２との中足指節関節２３のズレによって正常位置（足裏を接地したときに親指２４が接地する状態）よりも上向いて非接地状態となっている。かかる点から、図５にも示すように、親指２４が正常位置よりも上向きとなるような中足指節関節２３のズレを、左足Ｌの裏側をその親指２４の付け根から外果１８側に向かう引っ張り強さによって矯正する帯状の難伸縮性布地片４３も、難伸縮性布地４に備えている。この難伸縮性布地片４３も、幅２０ｍｍ〜２５ｍｍに、長さ１００ｍｍ〜１２０ｍｍにそれぞれ設定され、本体布地３１の厚みの内方に一体的に縫い付けられている。
【００４０】
したがって、本実施の形態では、脛骨１１下端の内果１７の上方まで延びる難伸縮性布地片４１の引っ張り強さによって腓骨１２下端の外果１８の下方を内果１７側へ引き寄せて、外反足によるズレを適正に矯正することができる。これに加えて、親指２４が正常位置よりも上向きにあるような左足Ｌの中足指節関節２３のズレが当該左足Ｌの裏側をその親指２４の付け根から外果１８側に向かう難伸縮性布地片４３の引っ張り強さによって矯正されるので、ハイヒールを履く女性にありがちな正常位置よりも上向きとなる左右の足の親指２４も、その左足Ｌの裏側を親指２４の付け根から外果１８側に向かう難伸縮性布地片４３の引っ張り強さによって適正に矯正することができる。
【００４１】
なお、本実施の形態では、難伸縮性布地４に、外反足によるズレを脛骨１１下端の内果１７の上方と腓骨１２下端の外果１８の下方との間において踵骨１５の下側を回した引っ張り強さによって矯正する帯状の難伸縮性布地片４１を設けたが、図６に示すように、左足Ｌの足関節のうちの脛骨１１下端及び腓骨１２下端と距骨１３との足関節１４並びに距骨１３と踵骨１５との足関節１６のズレが内反足により生じ、かつ親指２４が正常位置よりも上向きにあるような左足Ｌの中足指節関節２３のズレが生じているときに、難伸縮性布地４に、内反足によるズレを腓骨１２下端の外果１８の上方と脛骨１１下端の内果１７の下方との間において踵骨１５の下側を回した引っ張り強さによって矯正する帯状の難伸縮性布地片４２に加え、左足Ｌの裏側をその親指２４の付け根から外果１８側に向かう引っ張り強さによって親指２４が正常位置よりも上向きとなるような中足指節関節２３のズレを矯正する難伸縮性布地片４３も設けていてもよい。
【００４２】
次に、本発明の第４の実施の形態を図面に基づいて説明する。
【００４３】
この実施の形態では、難伸縮性布地の位置を各足関節のズレの方向に応じて変更している。なお、難伸縮性布地の位置を除くその他の構成は、前記第１の実施の形態と同じであり、同一部分については同じ符号を付してその詳細な説明は省略する。図７は本発明の第４の実施の形態に係る足関節矯正用靴下を外反足でかつ足の親指が正常位置よりも下向きとなる左足に複数の足関節が透視された状態で装着した斜視図、図８は図７の足関節矯正用靴下を左足に装着した状態で足の甲側から見た平面図をそれぞれ示している。
【００４４】
すなわち、本実施の形態では、図７に示すように、左足Ｌの脛骨１１下端及び腓骨１２下端と距骨１３との足関節１４並びに距骨１３と踵骨１５との足関節１６には、外反足によるズレが生じている。かかる点から、難伸縮性布地４は、左足Ｌの脛骨１１下端及び腓骨１２下端と距骨１３との足関節１４並びに距骨１３と踵骨１５との足関節１６に生じる外反足によるズレを脛骨１１下端の内果１７の上方と腓骨１２下端の外果１８の下方との間において踵骨１５の下側を回した引っ張り強さによって矯正する帯状の難伸縮性布地片４１を備えている。
【００４５】
また、左足Ｌの親指２４は、接地面に足を踏み付ける運動選手などにありがちなように、左足Ｌの中足骨２１と基節骨２２との中足指節関節２３のズレによって正常位置（足裏を接地したときに親指２４が接地する状態）よりも下向いている。かかる点から、図８にも示すように、親指２４が正常位置よりも下向きとなるような中足指節関節２３のズレを、左足Ｌの甲側をその親指２４の付け根から外果１８側に向かう引っ張り強さによって矯正する帯状の難伸縮性布地片４４も、難伸縮性布地４に備えている。この難伸縮性布地片４４も、幅２０ｍｍ〜２５ｍｍ、長さ１００ｍｍ〜１２０ｍｍにそれぞれ設定され、本体布地３１の厚みの内方に一体的に縫い付けられている。
【００４６】
したがって、本実施の形態では、脛骨１１下端の内果１７の上方まで延びる難伸縮性布地片４１の引っ張り強さによって腓骨１２下端の外果１８の下方を内果１７側へ引き寄せて、外反足によるズレを適正に矯正することができる。これに加えて、親指２４が正常位置よりも下向きにあるような左足Ｌの中足指節関節２３のズレが当該左足Ｌの甲側をその親指２４の付け根から外果１８側に向かう難伸縮性布地片４４の引っ張り強さによって矯正されるので、接地面に足を踏み付ける運動選手などにありがちな正常位置よりも下向きとなる左足Ｌの親指２４も、その左足Ｌの甲側を親指２４の付け根から外果１８側に向かう難伸縮性布地片４４の引っ張り強さによって適正に矯正することができる。
【００４７】
なお、本実施の形態では、難伸縮性布地４に、外反足によるズレを脛骨１１下端の内果１７の上方と腓骨１２下端の外果１８の下方との間において踵骨１５の下側を回した引っ張り強さによって矯正する帯状の難伸縮性布地片４１を設けたが、図９に示すように、左足Ｌの足関節のうちの脛骨１１下端及び腓骨１２下端と距骨１３との足関節１４並びに距骨１３と踵骨１５との足関節１６のズレが内反足により生じ、かつ親指２４が正常位置よりも下向きにあるような左足Ｌの中足指節関節２３のズレが生じているときに、難伸縮性布地４に、内反足によるズレを腓骨１２下端の外果１８の上方と脛骨１１下端の内果１７の下方との間において踵骨１５の下側を回した引っ張り強さによって矯正する帯状の難伸縮性布地片４２に加え、左足Ｌの甲側をその親指２４の付け根から外果１８側に向かう引っ張り強さによって親指２４が正常位置よりも下向きとなるような中足指節関節２３のズレを矯正する難伸縮性布地片４４も設けていてもよい。
【００４８】
また、前記各実施の形態では、難伸縮性布地４の各難伸縮性布地片４１〜４４を本体布地３１の厚みの内方に一体的に縫い付けたが、難伸縮性布地の各難伸縮性布地片が本体布地の表面または裏面に対し縫製や編み込みなどによって取り付けられていてもよい。しかも、各難伸縮性布地片を既存の靴下の本体布地の表面または裏面に対し縫製や編み込みなどによって取り付けることで、足関節矯正用靴下を構成することもできる。
【００４９】
また、前記各実施の形態では、左足Ｌについてのみ述べたが、右足についても各足関節や中足指節関節のズレに応じて同様に難伸縮性布地片が個別に設けられていてもよい。この場合、左右の足に装着される足関節矯正用靴下の各難伸縮性布地片は必ずしも同じではなく、各難伸縮性布地片は左右の足の各足関節や中足指節関節のズレに応じたものが足関節矯正用靴下の本体布地にそれぞれ個別に備えられる。
【００５０】
また、前記実施の形態では、難伸縮性布地片４１〜４４の幅をそれぞれ２０ｍｍ〜２５ｍｍに設定したが、これに限定されるものではなく、性別や足関節及び中足指節関節のズレ具合に応じて難伸縮性布地片の幅を適宜変更して難伸縮性布地片の引っ張り強さが変更されるようにしてもよい。
【００５１】
更に、前記各実施の形態では、靴下本体３０の爪先部分を、５本の足指をまとめて包み込んで閉じる有端筒状に編成したが、５本の足指をそれぞれ個別に包み込んで閉じる各足指毎に個別の有端筒状に編成することで、５本の指が自由に動くようにした足関節矯正用靴下であってもよい。
【符号の説明】
【００５２】
１１        脛骨
１２        腓骨
１３        距骨
１４        足関節
１５        踵骨
１６        足関節
１７        内果
１８        外果
２１        中足骨
２２        基節骨
２３        中足指節関節
２４        親指
３          足関節矯正用靴下
３０        靴下本体
３１        本体布地
４          難伸縮性布地
４１〜４４  難伸縮性布地片
Ｌ          左足（足）
【図１】
2019122507.tif 000003
【図２】
2019122507.tif 000004
【図３】
2019122507.tif 000005
【図４】
2019122507.tif 000006
【図５】
2019122507.tif 000007
【図６】
2019122507.tif 000008
【図７】
2019122507.tif 000009
【図８】
2019122507.tif 000010
【図９】
2019122507.tif 000011